(57)【要約】【課題】折り畳まれた状態の浴室用椅子を容易に開脚させる。【解決手段】浴室用椅子１００は、前脚１０と、後脚２０と、前脚１０と後脚２０とを相対回転可能に連結する回転機構３０とを備えている。前脚１０の下部と後脚２０の下部とが接近するように前脚１０と後脚２０とを相互回転させた後の位置を折り畳み位置Ｐ１とし、前脚１０の下部と後脚２０の下部とが離反するように前脚１０と後脚２０とを相互回転させた後の位置を開脚位置Ｐ２とする。前脚１０と後脚２０の何れか一方の下部には、折り畳み位置Ｐ１および開脚位置Ｐ２のときに床５に接触し、床５との滑り抵抗が第１の抵抗である滑り止め部３７が設けられている。前脚１０と後脚２０の何れか他方の下部には、折り畳み位置Ｐ１のときに床５に接触し、床５との滑り抵抗が第１の抵抗よりも小さい第２の抵抗である滑り部３５が設けられている。【選択図】図５
2020006141.tif 000002
【特許請求の範囲】
【請求項１】
第１の脚と、
下部が前記第１の脚の下部から離れた位置に設けられる第２の脚と、
前記第１の脚の下部と、前記第２の脚の下部とを相対的に接近または離反させる移動機構と、
を備え、
前記第１の脚の下部と前記第２の脚の下部とが接近したときの前記第１の脚と前記第２の脚との位置を折り畳み位置とし、前記第１の脚の下部と前記第２の脚の下部とが離反したときの前記第１の脚と前記第２の脚との位置を開脚位置としたとき、
前記第１の脚と前記第２の脚の何れか一方の下部には、前記折り畳み位置および前記開脚位置のときに床に接触し、前記床との滑り抵抗が第１の抵抗である滑り止め部が設けられ、
前記第１の脚と前記第２の脚の何れか他方の下部には、前記折り畳み位置のときに床に接触し、前記床との滑り抵抗が前記第１の抵抗よりも小さい第２の抵抗である滑り部が設けられている、浴室用椅子。
【請求項２】
前記第１の脚は前脚であり、
前記第２の脚は後脚であり、
前記移動機構は、前記第１の脚と前記第２の脚とを相対回転可能に連結するように構成されている、請求項１に記載された浴室用椅子。
【請求項３】
前記第１の脚と前記第２の脚の何れか前記他方の下部には、前記折り畳み位置のときに前記床に接触せず、前記開脚位置のときに前記床に接触し、前記床との滑り抵抗が前記第２の抵抗よりも大きい第３の抵抗である他の滑り止め部が設けられている、請求項１または２に記載された浴室用椅子。
【請求項４】
前記滑り部は、前記開脚位置のときに前記床に接触しないように構成されている、請求項３に記載された浴室用椅子。
【請求項５】
前記折り畳み位置のとき、前記他の滑り止め部は、前記滑り部の下端よりも上方に配置されている、請求項３または４に記載された浴室用椅子。
【請求項６】
前記開脚位置のとき、前記滑り部は、前記他の滑り止め部の下端よりも上方に配置されている、請求項３から５までの何れか１つに記載された浴室用椅子。
【請求項７】
前記滑り部は、前記第１の脚と前記第２の脚の何れか前記他方の下部に対して回転可能に設けられたローラである、請求項１から６までの何れか１つに記載された浴室用椅子。
【請求項８】
前記ローラは、前記第１の脚と前記第２の脚の何れか前記他方の下部に対して着脱可能に設けられている、請求項７に記載された浴室用椅子。
【請求項９】
前記第１の脚と前記第２の脚の何れか前記他方の下部を覆い、底面から上方に向かって凹んだ嵌合空間が形成されたキャップと、
前記キャップの前記嵌合空間に着脱可能に嵌め込まれ、前記ローラの下端が下方に露出するように、前記ローラが回転可能に収容されたローラカバーと、
を備えた、請求項８に記載された浴室用椅子。
【請求項１０】
前記キャップの内周面および前記ローラカバーの外周面の何れか一方には、凹部が形成され、
前記キャップの内周面および前記ローラカバーの外周面の何れか他方には、前記凹部に嵌る凸部が形成されている、請求項９に記載された浴室用椅子。
【請求項１１】
前記キャップは、弾性体によって形成され、
前記ローラカバーの外周面の下部には、溝が形成されている、請求項９または１０に記載された浴室用椅子。
【請求項１２】
前記滑り止め部の少なくとも前記床と接触する面は、ゴムによって形成されている、請求項１から１１までの何れか１つに記載された浴室用椅子。
【請求項１３】
前記滑り部は、前脚の下部に設けられ、
前記滑り止め部は、後脚の下部に設けられている、請求項１から１２までの何れか１つに記載された浴室用椅子。
【請求項１４】
前記滑り部は、前記前脚の下部の前側に設けられている、請求項１３に記載された浴室用椅子。
【請求項１５】
前記折り畳み位置および前記開脚位置のとき、側面視において前記回転機構よりも後方に配置されるように前記前脚に直接また間接的に設けられた押し下げ部を備え、
前記押し下げ部は、下向きに力が加えられることで、前記前脚の下部を前記後脚の下部に対して離反させるように構成されている、請求項１３または１４に記載された浴室用椅子。
【請求項１６】
前記折り畳み位置における前記床に対する前記滑り部の接触面積は、第１の面積であり、
前記開脚位置における前記床に対する前記滑り部の接触面積は、前記第１の面積よりも小さい第２の面積である、請求項１から１５までの何れか１つに記載された浴室用椅子。
【発明の詳細な説明】
【技術分野】
【０００１】
本発明は、浴室用椅子に関する。
【背景技術】
【０００２】
例えば、特許文献１には、折り畳み可能な浴室用椅子が開示されている。この浴室用椅子は、左右一対の前脚と、左右一対の後脚と、前脚および後脚を相対回転可能に連結させる連結具と、背もたれとを備えている。左右一対の前脚のそれぞれの上端は連結フレームによって連結されており、連結フレームに背もたれが設けられている。また、前脚および後脚のそれぞれの下端には、床に対して滑ることを防ぐための脚ゴムが装着されている。
【０００３】
開脚している浴室用椅子において、前脚の下部と後脚の下部とが接近するように前脚と後脚とを連結具を軸に相対回転させることによって、浴室用椅子を折り畳むことができる。一方、折り畳まれた浴室用椅子において、前脚の下部と後脚の下部とが離反するように前脚と後脚とを連結具を軸に相対回転させることによって、浴室用椅子を開脚させることができる。
【先行技術文献】
【特許文献】
【０００４】
【特許文献１】特許第５９０５９２８号
【発明の概要】
【発明が解決しようとする課題】
【０００５】
ところで、特許文献１に開示された浴室用椅子において、折り畳まれた浴室用椅子を開脚させるとき、利用者は、後脚の脚ゴムを床に接触させ、かつ、前脚の脚ゴムを床から浮かせるように浴室用椅子を後方に傾けた状態にした後、背もたれの上端を下方に向かって押さえる。このことによって、連結フレームが下方に回転し、前脚の下部が上方に回転する。その結果、前脚の下部と後脚の下部とが離反し、浴室用椅子を開脚させることができる。しかしながら、浴室用椅子を開脚させる際に、前脚の脚ゴムを一度浮かせる必要があるため、浴室用椅子を開脚させる際、利用者にとって煩わしい作業が発生していた。
【０００６】
本発明はかかる点に鑑みてなされたものであり、その目的は、折り畳まれた状態の浴室用椅子を容易に開脚させることが可能な浴室用椅子を提供することである。
【課題を解決するための手段】
【０００７】
以下、「前脚および後脚が床から浮いている」とは、前脚および後脚のそれぞれの下部に設けられた脚ゴムなどが床から浮いていることをいい、「前脚および後脚が床に接触している」とは、前脚および後脚のそれぞれの下部に設けられた脚ゴムなどが床に接触していることをいう。本願発明者は、例えば前脚の下部と後脚の下部とを接近させたり、離反させたりすることで、折り畳み、または開脚させる浴室用椅子を対象として、前脚および後脚の両方を床から浮かせることなく、浴室用椅子を開脚させる構成について種々検討した。そこで、本願発明者は、まず特許文献１に開示された浴室用椅子において、前脚および後脚のそれぞれの脚ゴムが床に接触した状態では、その脚ゴムが滑り止めの役割を担っているため、前脚の下部と後脚の下部とを離反させ難いことを発見した。そして、本願発明者は、更に検討した結果、前脚および後脚の何れか一方の下端に、床に対して滑り易いものを設けることで、折り畳まれた浴室用椅子において、前脚および後脚が床に接触している状態で、前脚の下部と後脚の下部とを離反させ易くなることを見出した。
【０００８】
本発明に係る浴室用椅子は、第１の脚と、第２の脚と、移動機構とを備えている。前記第２の脚は、下部が前記第１の脚の下部から離れた位置に設けられている。前記移動機構は、前記第１の脚の下部と、前記第２の脚の下部とを相対的に接近または離反させる。前記第１の脚の下部と前記第２の脚の下部とが接近したときの前記第１の脚と前記第２の脚との位置を折り畳み位置とし、前記第１の脚の下部と前記第２の脚の下部とが離反したときの前記第１の脚と前記第２の脚との位置を開脚位置としたとき、前記第１の脚と前記第２の脚の何れか一方の下部には、前記折り畳み位置および前記開脚位置のときに床に接触し、前記床との滑り抵抗が第１の抵抗である滑り止め部が設けられている。前記第１の脚と前記第２の脚の何れか他方の下部には、前記折り畳み位置のときに床に接触し、前記床との滑り抵抗が前記第１の抵抗よりも小さい第２の抵抗である滑り部が設けられている。
【０００９】
本発明に係る浴室用椅子によれば、折り畳み位置のときに滑り部と滑り止め部とが床に接触している。このとき、浴室用椅子に対して上から力を加えることで、滑り部が床に対して移動し、第１の脚の下部と第２の脚の下部とが離反する。その結果、浴室用椅子を開脚させた状態にすることができる。このように、本発明では、滑り部と滑り止め部とを床に接触させた状態で、折り畳まれた浴室用椅子を開脚させることができる。よって、特許文献１に開示された浴室用椅子のように、前脚を一度床から浮かせる動作を行わなくてもよいため、折り畳まれた状態の浴室用椅子を容易に開脚させることができる。
【００１０】
本発明の好ましい一態様によれば、前記第１の脚は前脚であり、前記第２の脚は後脚である。前記移動機構は、前記第１の脚と前記第２の脚とを相対回転可能に連結するように構成されている。
【００１１】
上記態様によれば、浴室用椅子に対して上から力を加えることで、滑り部が床に対して移動し、前脚の下部と後脚の下部とが離反するように前脚と後脚とが相互回転する。よって、滑り部と滑り止め部とを床に接触させた状態で、折り畳まれた浴室用椅子を開脚させることができる。
【００１２】
本発明の好ましい一態様によれば、前記第１の脚と前記第２の脚の何れか前記他方の下部には、前記折り畳み位置のときに前記床に接触せず、前記開脚位置のときに前記床に接触し、前記床との滑り抵抗が前記第２の抵抗よりも大きい第３の抵抗である他の滑り止め部が設けられている。
【００１３】
上記態様によれば、折り畳み位置のとき、第１の脚および第２の脚のうち滑り部が設けられた脚は、滑り部を介して床に接触し、他の滑り止め部は床に接触していない。そのため、折り畳まれた浴室用椅子を開脚させ易い。また、開脚位置のとき、第１の脚および第２の脚のうち滑り部が設けられた脚は、他の滑り止め部を介して床に接触している。よって、開脚した状態の浴室用椅子に利用者が座ったとき、浴室用椅子が床に対して滑り難くすることができる。
【００１４】
本発明の好ましい他の一態様によれば、前記滑り部は、前記開脚位置のときに前記床に接触しないように構成されている。
【００１５】
上記態様によれば、開脚位置のとき、第１の脚および第２の脚のうち滑り部が設けられた脚は、他の滑り部を介して床に接触しており、滑り部は床に接触していない状態となる。よって、開脚した状態の浴室用椅子に利用者が座ったとき、浴室用椅子が床に対してより滑り難くすることができる。
【００１６】
本発明の好ましい他の一態様によれば、前記折り畳み位置のとき、前記他の滑り止め部は、前記滑り部の下端よりも上方に配置されている。
【００１７】
上記態様によれば、折り畳み位置のとき、第１の脚および第２の脚のうち滑り部が設けられた脚は、滑り部を介して床に接触し、他の滑り止め部は床に接触していない。よって、折り畳まれた浴室用椅子を開脚させる際、滑り部を床に接触させながら第１の脚の下部と第２の脚の下部とを離反させ易い。したがって、浴室用椅子を開脚させ易い。
【００１８】
本発明の好ましい他の一態様によれば、前記開脚位置のとき、前記滑り部は、前記他の滑り止め部の下端よりも上方に配置されている。
【００１９】
上記態様によれば、開脚位置のとき、第１の脚および第２の脚のうち滑り部が設けられた脚は、他の滑り止め部を介して床に接触しており、滑り部は床に接触していない。よって、浴室用椅子に利用者が座ったとき、浴室用椅子が床に対して滑り難くすることができる。
【００２０】
本発明の好ましい他の一態様によれば、前記滑り部は、前記第１の脚と前記第２の脚の何れか前記他方の下部に対して回転可能に設けられたローラである。
【００２１】
上記態様によれば、折り畳み位置のとき、第１の脚および第２の脚の何れか他方の脚は、ローラが床に接触している。よって、折り畳まれた浴室用椅子を開脚させる際、ローラが床に対して回転するため、第１の脚の下部と第２の脚の下部とを離反させ易い。
【００２２】
本発明の好ましい他の一態様によれば、前記ローラは、前記第１の脚と前記第２の脚の何れか前記他方の下部に対して着脱可能に設けられている。
【００２３】
浴室用椅子は、浴室で使用されるものであり、例えばローラに水垢や髪の毛などのゴミが付着し易い。しかしながら、上記態様では、第１の脚と第２の脚の何れか他方の下部から、ローラを容易に取り外すことができる。そのため、キャップに付着したゴミを取り除き易く、キャップを掃除し易い。
【００２４】
本発明の好ましい他の一態様によれば、前記浴室用椅子は、前記第１の脚と前記第２の脚の何れか前記他方の下部を覆い、底面から上方に向かって凹んだ嵌合空間が形成されたキャップと、前記キャップの前記嵌合空間に着脱可能に嵌め込まれ、前記ローラの下端が下方に露出するように、前記ローラが回転可能に収容されたローラカバーと、を備えている。
【００２５】
上記態様によれば、ローラカバーを介してキャップにローラを取り付けることが可能である。また、ローラは、ローラカバーに回転可能に収容されている。よって、このようなキャップおよびローラカバーを設けることで、第１の脚と第２の脚の何れか他方の下部に、ローラを着脱可能に設けることができると共に、第１の脚と第２の脚の何れか他方の下部に設けた状態で、ローラを回転可能にすることができる。
【００２６】
本発明の好ましい他の一態様によれば、前記キャップの内周面および前記ローラカバーの外周面の何れか一方には、凹部が形成されている。前記キャップの内周面および前記ローラカバーの外周面の何れか他方には、前記凹部に嵌る凸部が形成されている。
【００２７】
上記態様によれば、ローラカバーがキャップに嵌め込まれているとき、凹部と凸部とが嵌まった状態となり、ローラカバーの上下方向の移動がより規制される。よって、ローラカバーがキャップから落下し難い。
【００２８】
本発明の好ましい他の一態様によれば、前記キャップは、弾性体によって形成されている。前記ローラカバーの外周面の下部には、溝が形成されている。
【００２９】
上記態様によれば、例えばマイナスドライバーなどの取り外し器具の先端をキャップとローラカバーの間から溝に差し込む。そして、取り外し器具の先端が溝に差し込まれた状態で取り外し器具を操作することで、ローラカバーをキャップから取り外すことができる。よって、取り外し器具を使用して、ローラカバー、および、ローラカバーに収容されたローラをキャップから取り外し易い。
【００３０】
本発明の好ましい他の一態様によれば、前記滑り止め部の少なくとも前記床と接触する面は、ゴムによって形成されている。
【００３１】
ゴムは床に対して滑り難い材質である。そのため、滑り止め部の少なくとも床と接触する面をゴムによって形成することで、床に対して滑り難い滑り止め部作製することができる。
【００３２】
本発明の好ましい他の一態様によれば、前記滑り部は、前脚の下部に設けられている。前記滑り止め部は、後脚の下部に設けられている。
【００３３】
例えば、浴室用椅子は、壁に背を向けた状態、かつ、壁に接近させた状態で利用されることがあり得る。このような場合、折り畳まれた浴室用椅子を壁に背を向けた状態、かつ、壁に接近した状態で配置し、浴室用椅子に対して上から力を加える。このとき、前脚の下部が後脚の下部に対して離反するように前方に移動することで、浴室用椅子を開脚させることができる。よって、壁に背を向け、かつ、壁に接近した状態の折り畳まれた浴室用椅子を開脚させ易い。
【００３４】
本発明の好ましい他の一態様によれば、滑り部は、前記前脚の下部の前側に設けられている。
【００３５】
上記態様によれば、開脚位置のときの前脚の下端の前側の部位は、折り畳み位置のとき、前脚の最下端に位置する。よって、前脚の下部の前側に滑り部を設けることで、折り畳み位置のときに、滑り部を床に接触させ易い。
【００３６】
本発明の好ましい他の一態様によれば、前記浴室用椅子は、前記折り畳み位置および前記開脚位置のとき、側面視において前記回転機構よりも後方に配置されるように前記前脚に直接また間接的に設けられた押し下げ部を備えている。前記押し下げ部は、下向きに力が加えられることで、前記前脚の下部を前記後脚の下部に対して離反させるように構成されている。
【００３７】
上記態様によれば、押し下げ部に対して上からの相対的に小さい力を加えた場合であっても、その力によって、前脚の下部が後脚の下部に対して離反するように前方に移動し易い。よって、相対的に小さい力で浴室用椅子を開脚させることができる。
【００３８】
本発明の好ましい他の一態様によれば、前記折り畳み位置における前記床に対する前記滑り部の接触面積は、第１の面積である。前記開脚位置における前記床に対する前記滑り部の接触面積は、前記第１の面積よりも小さい第２の面積である。
【００３９】
上記態様によれば、折り畳まれた浴室用椅子を開脚させるとき、滑り部と床との接触面積が大きいため、前脚および後脚のうち滑り部が設けられた脚を移動させ易い。また、開脚位置のとき、滑り部と床との接触面積が小さいため、床に対して浴室用椅子を滑り難くすることができる。
【発明の効果】
【００４０】
本発明によれば、折り畳まれた状態の浴室用椅子を容易に開脚させることが可能な浴室用椅子を提供することができる。
【図面の簡単な説明】
【００４１】
【図１】実施形態に係る浴室用椅子の斜視図である。
【図２】浴室用椅子の正面図である。
【図３】浴室用椅子の背面図である。
【図４】浴室用椅子の平面図である。
【図５】浴室用椅子の開脚した状態を示す左側面図である。
【図６】浴室用椅子の折り畳まれた状態を示す左側面図である。
【図７】浴室用椅子の斜視図である。
【図８】浴室用椅子の斜視図である。
【図９】開脚位置における前側滑り止めキャップおよびローラを示す左側面図である。
【図１０】折り畳み位置における前側滑り止めキャップおよびローラを示す左側面図である。
【図１１】他の実施形態において、開脚位置における前側滑り止めキャップを示す左側面図である。
【図１２】他の実施形態において、折り畳み位置における前側滑り止めキャップを示す左側面図である。
【図１３】他の実施形態に係るキャップ、ローラカバーおよびローラの斜視図である。
【図１４】他の実施形態に係るキャップ、ローラカバーおよびローラの正面断面図である。
【図１５】他の実施形態に係るキャップの斜視図である。
【図１６】他の実施形態に係るローラカバーおよびローラの側面図である。
【図１７】他の実施形態に係るローラカバーの分解斜視図である。
【発明を実施するための形態】
【００４２】
以下、図面を参照しながら、本発明に係る浴室用椅子について説明する。以下に説明する実施形態は、本発明の一実施形態に過ぎず、当然ながら本発明を限定することを意図したものではない。
【００４３】
＜実施形態＞
図１は、本実施形態に係る浴室用椅子１００の斜視図である。以下の説明では、前、後、左、右、上、下とは、浴室用椅子１００に座る利用者から見た前、後、左、右、上、下をそれぞれ意味するものとする。各図面中における符号Ｆ、Ｒｒ、Ｌ、Ｒ、Ｕ、Ｄは、それぞれ前、後、左、右、上、下を表す。ただし、これらの方向は説明の便宜上定めた方向に過ぎず、浴室用椅子１００の態様を何ら限定するものではない。
【００４４】
以下、浴室用椅子１００のことを単に椅子１００と称することとする。本実施形態に係る椅子１００は、折り畳むことが可能なものである。椅子１００は、主に浴室内で使用されるものである。椅子１００は、例えば高齢者や要介護者などが浴室内においてシャワーを浴びるときなどに利用される。ただし、椅子１００の使用場所は浴室に限定されず、また椅子１００の利用対象者は、高齢者または要介護者に限定されない。
【００４５】
図２、図３、図４は、それぞれ椅子１００の正面図、背面図、平面図である。図５、図６は、それぞれ椅子１００の開脚した状態、椅子１００の折り畳まれた状態を示す左側面図である。椅子１００は、開脚した状態で使用され、非使用時には折り畳まれる。図７、図８は、それぞれ椅子１００の斜視図である。
【００４６】
図５に示すように、椅子１００は、例えば床５に載置される。ここで、床５には、浴室の床以外にも、浴槽の底面が含まれる。また、床５は、建物の各階の部屋や廊下の床であってもよい。
【００４７】
図１〜図６に示すように、椅子１００は、前脚１０と、後脚２０と、回転機構３０と、座部５０と、背もたれ７０と、操作ハンドル８０と、肘掛け９０とを備えている。
【００４８】
以下の説明において、各部位および部品の位置は、特に明記されていない限り、椅子１００が開脚している状態の位置を示している。図２に示すように、前脚１０は左右に一対設けられたパイプ状のものである。前脚１０は、本発明の第１の脚の一例である。本実施形態では、左の前脚１０と右の前脚１０とは、左右対称の形状を有している。図５に示すように、前脚１０は、前斜め下向きに延びる下前脚１１と、下前脚１１から後斜め上向きに延びる上前脚１２と、を有している。なお、本実施形態では、前脚１０の下部とは、下前脚１１のことをいう。
【００４９】
前脚１０は、伸縮可能であり、長さ調整が可能である。図示は省略するが、前脚１０は、前脚上パイプ部と、前脚上パイプ部がスライド可能に挿入された前脚下パイプ部とから構成されている。前脚上パイプ部の前脚下パイプ部に対する挿入長さを調整することで、前脚１０の長さを調整することができる。
【００５０】
本実施形態では、図３に示すように、左右の前脚１０は、連結フレーム１５によって互いが連結している。連結フレーム１５は、図５に示すように、左右の前脚１０の上前脚１２から後斜め上向きに延びた左右一対の縦フレーム１６と、図３に示すように、左の縦フレーム１６と右の縦フレーム１６との間に架け渡された横フレーム１７とを有している。なお、左右一対の前脚１０と、連結フレーム１５とは、別体であってもよいし、一体であってもよい。
【００５１】
図５に示すように、後脚２０は、下部が前脚１０の下部から離れた位置（ここでは、後方に離れた位置）に設けられている。側面視において、後脚２０の少なくとも一部（本実施形態では、下部）が前脚１０の後方に配置されている。図３に示すように、後脚２０は左右に一対設けられたパイプ状の部材である。後脚２０は、本発明の第２の脚の一例である。本実施形態では、左の後脚２０と、右の後脚２０とは、左右対称の形状を有している。図５に示すように、後脚２０は、後斜め下向きに延びた下後脚２１と、下後脚２１から前斜め上向きに延びた上後脚２２と、を有している。なお、本実施形態では、前脚２０の下部とは、下前脚２１のことをいう。
【００５２】
後脚２０も前脚１０と同様に、伸縮可能であり、長さ調整が可能である。図示は省略するが、後脚２０は、後脚上パイプ部と、後脚上パイプ部がスライド可能に挿入された後脚下パイプ部とから構成されている。後脚上パイプ部の後脚下パイプ部に対する挿入長さを調整することで、後脚２０の長さを調整することができる。本実施形態では、左右の前脚１０の長さ、および、左右の後脚２０の長さを調整することで、座部５０の高さを調整することができる。
【００５３】
前脚１０と後脚２０とは、回転機構３０を介して、相互回転可能に連結している。回転機構３０は、本発明の移動機構の一例であり、前脚１０の下部と後脚２０の下部とを相対的に接近または離反させるものである。ここでは、回転機構３０は、前脚１０と後脚２０とを連結し、前脚１０と後脚２０とを相互に回転させる機構である。なお、回転機構３０の構成は特に限定されない。本実施形態では、回転機構３０は、連結軸３１を有している。本実施形態では、図２に示すように、前脚１０および後脚２０はそれぞれ左右に一対設けられているため、連結軸３１も左右に一対設けられている。連結軸３１は左右方向に延びた部材であり、図５に示すように、前脚１０の上前脚１２と、後脚２０の上後脚２２とを連結している。前脚１０は、連結軸３１を軸にして後脚２０に対して回転可能であり、後脚２０は、連結軸３１を軸にして前脚１０に対して回転可能である。本実施形態では、前脚１０の下前脚１１の下部（以下、単に前脚１０の下部ともいう。）と、後脚２０の下後脚２１の下部（以下、単に後脚２０の下部ともいう。）とが接近するように前脚１０と後脚２０を相対回転させることによって、図６に示すように、椅子１００を折り畳むことができる。逆に、前脚１０の下部と、後脚２０の下部とが離反するように前脚１０と後脚２０を相対回転させることによって、図５に示すように、椅子１００を開脚させることができる。
【００５４】
本実施形態では、図６に示すように、前脚１０の下部と後脚２０の下部とが接近したとき、言い換えると、前脚１０の下部と、後脚２０の下部とが接近するように前脚１０と後脚２０とを相互回転させた後の前脚１０および後脚２０の位置を、折り畳み位置Ｐ１と称する。折り畳み位置Ｐ１は、椅子１００が折り畳まれた状態の位置である。また、図５に示すように、前脚１０の下部と後脚２０の下部とが離反したとき、言い換えると、前脚１０の下部と、後脚２０の下部とが離反するように前脚１０と後脚２０とを相互回転させた後の前脚１０および後脚２０の位置を、開脚位置Ｐ２と称する。開脚位置Ｐ２は、椅子１００が開脚された状態の位置である。
【００５５】
図５および図６に示すように、折り畳み位置Ｐ１および開脚位置Ｐ２のとき、前脚１０と後脚２０とは交差している。図６に示すように、折り畳み位置Ｐ１のとき、前脚１０の下前脚１１の軸Ａ１１は、鉛直方向から前斜め上向きに傾いており、上前脚１２の軸Ａ１２は、軸Ａ１１から後斜め上向きに延びている。ただし、折り畳み位置Ｐ１のとき、下前脚１１の軸Ａ１１は鉛直方向に延びていてもよい。折り畳み位置Ｐ１のとき、後脚２０の下後脚２１の軸Ａ２１は、鉛直方向から後斜め上向きに傾いており、上後脚２２の軸Ａ２２は、軸Ａ２１から前斜め上向きに延びている。軸Ａ２２の一部は折れ曲がっている。なお、折り畳み位置Ｐ１のとき、下後脚２１の軸Ａ２１は鉛直方向に延びていてもよい。
【００５６】
図５に示すように、開脚位置Ｐ２のとき、下前脚１１の軸Ａ１１は前斜め下向きに延びており、上前脚１２の軸Ａ１２は軸Ａ１１から後斜め上向き延びている。また、開脚位置Ｐ２のとき、下後脚２１の軸Ａ２１は後斜め下向きに延びており、上後脚２２の軸Ａ２２は軸Ａ２１から前斜め上向きに延びている。例えば、折り畳み位置Ｐ１のときの前脚１０の下後端と後脚２０の下前端との距離を第１の距離Ｄ１（図６参照）としたとき、開脚位置Ｐ２のときの前脚１０の下後端と後脚２０の下前端との距離は、上記第１の距離Ｄ１よりも長い第２の距離Ｄ２（図５参照）である。前脚１０と後脚２０を相対回転させることで、前脚１０および後脚２０の位置を、折り畳み位置Ｐ１から開脚位置Ｐ２に変更したり、開脚位置Ｐ２から折り畳み位置Ｐ１に変更したりすることができる。
【００５７】
本実施形態では、図５に示すように、前脚１０の下部には、本発明の他の滑り止め部の一例である前側滑り止めキャップ３３、および、本発明の滑り部の一例であるローラ３５が設けられている。後脚２０の下端には、本発明の滑り止め部材の一例である後側滑り止めキャップ３７が設けられている。
【００５８】
図９は、開脚位置Ｐ２における前側滑り止めキャップ３３およびローラ３５を示す左側面図である。図１０は、折り畳み位置Ｐ１における前側滑り止めキャップ３３およびローラ３５を示す左側面図である。図９に示すように、前側滑り止めキャップ３３は、前脚１０の下前脚１１の下部を覆う部材である。前側滑り止めキャップ３３は、本実施形態では前脚１０とは別体であるが、一部または全部が前脚１０と一体的に形成されてもよい。ここでは、前側滑り止めキャップ３３は、図１０に示すように折り畳み位置Ｐ１のときに床５とは接触せずに、図９に示すように開脚位置Ｐ２のときに床５と接触するように構成されている。ここで、開脚位置Ｐ２のときに床５に接触する前側滑り止めキャップ３３の面を接触面３３ａとする。図１０に示すように、折り畳み位置Ｐ１のとき、前側滑り止めキャップ３３の接触面３３ａは、床５に接触しない状態で後斜め上向きに延びている。言い換えると、折り畳み位置Ｐ１のとき、接触面３３ａは、前端から後端に向かうに従って、床５と徐々に離れている。このとき、接触面３３ａの前端は、床５と接触していない。
【００５９】
前側滑り止めキャップ３３の床５との接触面積は、図１０の折り畳み位置Ｐ１のときに第１の前側滑り止め面積であり、図９の開脚位置Ｐ２のときに第２の前側滑り止め面積である。なお、第１の前側滑り止め面積には、「０」が含まれるものとする。ここで、第１の前側滑り止め面積は、第２の前側滑り止め面積よりも小さい。
【００６０】
ローラ３５は、椅子１００を開脚させるときに前脚１０と後脚２０との開脚の支援をするものである。ローラ３５は、前脚１０に回転可能に設けられている。ローラ３５は、前脚１０の下部の前側に設けられている。ここでは、前脚の下部の前側には、前側滑り止めキャップ３３を介してローラ用ブラケット３６が設けられている。このローラ用ブラケット３６は、前側滑り止めキャップ３３と別体であってもよいし、一体であってもよい。ローラ用ブラケット３６には、左右方向に延びた回転軸３６ａが回転可能に取り付けられている。ローラ３５は、回転軸３６ａに取り付けられており、回転軸３６ａと共に回転する。このように、ローラ３５は、回転軸３６ａ、ローラ用ブラケット３６および前側滑り止めキャップ３３を介して前脚１０の下前脚１１に間接的に設けられている。ただし、ローラ３５は、前脚１０の下部に回転可能に直接設けられていてもよい。
【００６１】
図１０に示すように、ローラ３５は、折り畳み位置Ｐ１のときに床５と接触するように構成されている。本実施形態では、図９に示すように、ローラ３５は、開脚位置Ｐ２のときに床５と接触しないように構成されているが、開脚位置Ｐ２のときに床５と接触していてもよい。図１０に示すように、折り畳み位置Ｐ１のとき、前側滑り止めキャップ３３は、ローラ３５の下端よりも上方に配置されている。ローラ３５の下端は、前側滑り止めキャップ３３の接触面３３ａよりも下方に配置されている。そのため、折り畳み位置Ｐ１のとき、接触面３３ａは床５から浮いている状態となる。図９に示すように、開脚位置Ｐ２のとき、ローラ３５は、前側滑り止めキャップ３３の下端（ここでは、接触面３３ａ）よりも上方に配置されている。そのため、開脚位置Ｐ２のとき、ローラ３５は床５から浮いている状態となる。ここでは、折り畳み位置Ｐ１から開脚位置Ｐ２に位置が変更している途中において、ローラ３５は床５と接触している。
【００６２】
ローラ３５の床５との接触面積は、図１０の折り畳み位置Ｐ１のときに第１のローラ接触面積であり、図９の開脚位置Ｐ２のときに第２のローラ接触面積である。なお、第２のローラ接触面積には、「０」が含まれるものとする。ここで、第２のローラ接触面積は、第１のローラ接触面積よりも小さい。なお、本実施形態では、第１のローラ接触面積は本発明の第１の面積の一例であり、第２のローラ接触面積は本発明の第２の面積の一例である。
【００６３】
図５に示すように、後側滑り止めキャップ３７は、後脚２０の下後脚２１の下部を覆う部材である。後側滑り止めキャップ３７は、後脚２０とは別体であり、下後脚２１に取り付けられている。しかしながら、後側滑り止めキャップ３７の一部または全部は、後脚２０と一体的に形成されていてもよい。後側滑り止めキャップ３７は、図５および図６に示すように、折り畳み位置Ｐ１および開脚位置Ｐ２のときに床５と接触している。ここでは、折り畳み位置Ｐ１から開脚位置Ｐ２に位置が変更している途中において、後側滑り止めキャップ３７の少なくとも一部は、床５と接触している。
【００６４】
本実施形態では、図５に示すように、開脚位置Ｐ２のとき、後側滑り止めキャップ３７の底面の全体が床５と接触している。ここで、開脚位置Ｐ２のときに床５と接触する後側滑り止めキャップ３７の面を接触面３７ａと称する。図６に示すように、折り畳み位置Ｐ１のとき、後側滑り止めキャップ３７の接触面３７ａは、前斜め上向きに延びている。言い換えると、折り畳み位置Ｐ１のとき、接触面３７ａは、後端から前端に向かうに従って、床５から徐々に離れている。折り畳み位置Ｐ１のときに接触面３７ａの少なくとも後端は、床５と接触している。
【００６５】
後側滑り止めキャップ３７の床５との接触面積は、図６の折り畳み位置Ｐ１のときに第１の後側滑り止め面積であり、図５の開脚位置Ｐ２のときに第２の後側滑り止め面積である。ここで、第１の後側滑り止め面積は、第２の後側滑り止め面積よりも小さい。
【００６６】
本実施形態では、床５に対する後側滑り止めキャップ３７の滑り抵抗は、第１の抵抗である。床５に対するローラ３５の滑り抵抗は、第２の抵抗である。床５に対する前側滑り止めキャップ３３の滑り抵抗は、第３の抵抗である。ここで、「滑り抵抗」とは、椅子１００に対して下向きの力を加えたときに床５との間で発生する抵抗のことをいう。「滑り抵抗」には、床５に対して部材が滑っている際に発生する抵抗の他に、床５に対して部材が回転している際に発生する抵抗も含まれるものとする。本実施形態では、ローラ３５の第２の抵抗は、後側滑り止めキャップ３７の第１の抵抗よりも小さく、かつ、前側滑り止めキャップ３３の第３の抵抗よりも小さい。また、第１の抵抗は、第３の抵抗と同じである。ここで、第１の抵抗と第３の抵抗とが同じとは、多少の誤差が含まれるものとする。なお、第１の抵抗は、第３の抵抗よりも大きくてもよいし、小さくてもよい。
【００６７】
前側滑り止めキャップ３３の接触面３３ａ、および、後側滑り止めキャップ３７の接触面３７ａは、ゴムによって形成されている。本実施形態では、前側滑り止めキャップ３３の全体、および、後側滑り止めキャップ３７の全体がゴムによって形成されている。ただし、前側滑り止めキャップ３３および後側滑り止めキャップ３７を形成する材料は、ゴムに限定されない。前側滑り止めキャップ３３の接触面３３ａ以外の部位、および、後側滑り止めキャップ３７の接触面３７ａ以外の部位は、ゴム以外の材料によって形成されていてもよい。例えばローラ３５における床５と接触する部位は、ポリプロピレンによって形成されている。ただし、ローラ３５における床５と接触しない部位は、ポリプロピレンによって形成されていてもよいし、ポリプロピレンとは異なる材料、例えば前側滑り止めキャップ３３よりも滑り抵抗が小さい材料によって形成されていてもよい。
【００６８】
本実施形態では、図８に示すように、左の前脚１０と右の前脚１０との間には、第１支持バー４１および第１連結バー４４が架け渡されている。第１支持バー４１および第１連結バー４４は、何れも左右方向に延びており、左の前脚１０と右の前脚１０とを連結している。第１支持バー４１は、第１連結バー４４の後斜め上方に配置されており、椅子１００が開脚しているときに座部５０を支持するように構成されている。第１支持バー４１は、前脚１０の上前脚１２に接続されている。第１連結バー４４は、前脚１０の下前脚１１に接続されていてもよいし、上前脚１２に接続されていてもよい。
【００６９】
図７に示すように、左の後脚２０と右の後脚２０との間には、第２支持バー４２および第２連結バー４５が架け渡されている。第２支持バー４２および第２連結バー４５は、何れも左右方向に延びており、左の後脚２０と右の後脚２０とを連結している。第２支持バー４２は、第２連結バー４５の前斜め上方に配置されており、椅子１００が開脚しているときに座部５０を支持するように構成されている。第２支持バー４２は、後脚２０の上後脚２２に接続されている。第２連結バー４５は、後脚２０の下後脚２１に接続されていてもよいし、上後脚２２に接続されていてもよい。
【００７０】
図８に示すように、座部５０の裏面には、左右一対の後ブラケット６１が設けられている。後ブラケット６１には、第２支持バー４２が回転自在に支持されている。そのため、座部５０は、後ブラケット６１および第２支持バー４２を介して、後脚２０に対して回転可能に構成されている。
【００７１】
座部５０の裏面には、後ブラケット６１の他に、左右一対の前ブラケット６２が設けられている。前ブラケット６２は、後ブラケット６１よりも前方に配置され、後ブラケット６１よりも左右方向の中央側に配置されている。前ブラケット６２には、左右方向に延びた連結軸６３が取り付けられている。
【００７２】
本実施形態では、前ブラケット６２に取り付けられた連結軸６３と第１連結バー４４とは、リンク６６によって連結されている。連結軸６３は左右に一対設けられているため、リンク６６も左右に一対設けられている。リンク６６は、開脚している椅子１００を折り畳むとき、および、折り畳まれた椅子１００を開脚するときに、後脚２０に対する座部５０の回転と、回転機構３０の連結軸３１回りの前脚１０と後脚２０との相対回転とを連動させる部材である。
【００７３】
本実施形態では、図７に示すように、座部５０の裏面には、左右一対の被支持部６４が設けられている。被支持部６４は、後ブラケット６１および前ブラケット６２よりも後方に配置されており、座部５０の裏面から突出している。被支持部６４は、椅子１００が開脚したときに第１支持バー４１と接触し、第１支持バー４１に支持されるように構成されている。よって、椅子１００が開脚したとき、座部５０は被支持部６４および第１支持バー４１を介して、前脚１０に支持される。
【００７４】
また、図５の開脚位置Ｐ２のときに、後脚２０の上後脚２２の一部２２ａは座部５０から下方に離間している。ここで、この部分を離間部２２ａと称する。離間部２２ａの上には補強部材６５が設けられている。図７に示すように、補強部材６５は、椅子１００が開脚したときに第１支持バー４１と接触し、第１支持バー４１を支持するように構成されている。そのため、椅子１００が開脚したときに、第１支持バー４１は補強部材６５を介して後脚２０によって支持される。
【００７５】
図４に示すように、座部５０は、上面に形成され、利用者が座る座面５１を有している。座部５０の材料は特に限定されないが、本実施形態では、座部５０は合成樹脂製のブロー成形品である。座部５０の後端部には前方に凹んだ凹部５０ａが形成されている。凹部５０ａは、座部５０の左右方向の中央に形成されている。凹部５０ａの内側に把手５６が配置されている。把手５６は座部５０に固定されている。
【００７６】
背もたれ７０は、連結フレーム１５の横フレーム１７に取り付けられている。本実施形態では、背もたれ７０は横フレーム１７と別体であるが、背もたれ７０と横フレーム１７とは一体的に形成されてもよい。図２に示すように、背もたれ７０には、孔７１が形成されている。利用者は、この孔７１に指を挿入して背もたれ７０を把持することによって、椅子１００を片手で持ち上げたり、片手で移動させたりすることが可能である。ここでは、背もたれ７０の下端部には、上方に凹んだ凹部７２が形成されている。なお、背もたれ７０の材料は特に限定されないが、本実施形態では、背もたれ７０は合成樹脂製のブロー成形品である。なお、本実施形態では、背もたれ７０の後部７０ａは、本発明の押し下げ部の一例である。図６に示すように、折り畳み位置Ｐ１のとき、背もたれ７０の後部７０ａは、側面視において回転機構３０よりも後方に配置されている。
【００７７】
図５に示すように、操作ハンドル８０は、折り畳まれた椅子１００を開脚する際、または、開脚している椅子１００を折り畳む際、利用者が力を加えるものである。例えば、操作ハンドル８０に対して鉛直方向の下向きに力を加えることで、折り畳まれた椅子１００を開脚させることができる。本実施形態では、操作ハンドル８０は、背もたれ７０の後方に設けられている。ここでは、図３に示すように、連結フレーム１５の横フレーム１７の中央には、ブラケット８１が設けられている。このブラケット８１には、左右方向に延びた軸８２（図５参照）が設けられている。操作ハンドル８０の前端は、軸８２に設けられており、軸８２と共に回転する。ここでは、操作ハンドル８０は、その前端を中心にして軸８２の回りに回転可能であり、操作ハンドル８０を上げ下げすることができる。図６に示すように、折り畳み位置Ｐ１のとき、操作ハンドル８０は、側面視において回転機構３０よりも後方に配置されている。
【００７８】
本実施形態では、操作ハンドル８０は、ワイヤー（図示せず）を介して左右一対のピン８４（図３参照）が接続されている。図３に示すように、左右一対のピン８４は、左右一対の前脚１０の上前脚１２の間であって、第１支持バー４１の両端部に設けられた収容部材４８から左右方向の中心に向かって突出可能に設けられている。この収容部材４８よりも左右方向の中央側であって、座部５０の裏面に設けれた左右一対の被支持部６４には、それぞれフック４９が設けられている。ピン８４が収容部材４８から突出しているとき、フック４９と係合する。ここでは、操作ハンドル８０が下方の位置にあると、ピン８４がフック４９と係合し、操作ハンドル８０を上方に持ち上げると、ピン８４はフック４９から外れる。図示は省略するが、左右一対の収容部材４８の内部には、バネが設けられている。当該バネは、折り畳み位置Ｐ１のときに折り畳みの状態を維持するようにピン８４を付勢し、開脚位置Ｐ２のときに開脚状態を維持するように、ピン８４がフック４９と係合するようにピン８４を付勢するように構成されている。よって、椅子１００が折り畳まれている状態のときには、操作ハンドル８０を操作しない限り、折り畳み位置Ｐ１の状態が保たれる。一方、椅子１００が開脚している状態のときには、操作ハンドル８０を操作しない限り、開脚位置Ｐ２の状態が保たれる。
【００７９】
図１に示すように、肘掛け９０は、連結フレーム１５の左右一対の縦フレーム１６にそれぞれ取り付けられている。本実施形態では、図４に示すように、縦フレーム１６には、前方に突出したブラケット１８が設けられている。ブラケット１８には、左右方向に延びた水平軸１９が設けられている。肘掛け９０は、水平軸１９に回転可能に取り付けられている。肘掛け９０は、水平軸１９およびブラケット１８を介して、縦フレーム１６に回転可能に取り付けられている。ここでは、肘掛け９０は、先端部が前方に位置する水平な状態と、先端部が上方に位置する鉛直な状態との間で回転可能である。
【００８０】
以上、椅子１００の構成について説明した。次に、椅子１００の開脚操作および折り畳み操作の一例について説明する。
【００８１】
椅子１００の開脚操作および折り畳み操作は片手で行うことができる。図５に示すように、開脚した状態の椅子１００を折り畳むときには、まず、肘掛け９０を跳ね上げ、肘掛け９０を水平な状態から鉛直な状態にする。次に、背もたれ７０および操作ハンドル８０を手で掴む。このとき、操作ハンドル８０が上方に回転し、ピン８４（図３参照）がフック４９（図３参照）から外れる。次に、背もたれ７０を持ち上げると、座部５０は、第１支持バー４１を中心に回転し、図６に示すように、座部５０の後部が上方に移動する一方、座部５０の前部が下方に移動する。
【００８２】
本実施形態では、図８に示すように、座部５０の前部はリンク６６を介して第１連結バー４４に連結されているため、座部５０の前部が下方に移動すると、前脚１０はリンク６６および第１連結バー４４から後斜め下向きの力を受ける。その結果、図６に示すように、前脚１０と後脚２０とが接近するように、前脚１０は回転機構３０の連結軸３１を中心に回転する。椅子１００を持ち上げると、前脚１０および後脚２０には自重が作用する。それらの自重によっても、前脚１０および後脚２０は連結軸３１を中心として相対回転する。なお、前脚１０と後脚２０とが相対回転する際、前側滑り止めキャップ３３の接触面３３ａが床５から浮き上がると同時に、床５に接触していなかったローラ３５が床５に接触する。後側滑り止めキャップ３７の接触面３７ａでは、前端が床５から離れていき、ローラ３５が床５に接触しているときには、接触面３７ａの後端のみが床５に接触している状態となる。ここでは、前脚１０はローラ３５の回転に伴い後脚２０に向かって接近し易い。このように、前脚１０および後脚２０が相対回転すると、図６に示すように椅子１００は折り畳まれ、折り畳み位置Ｐ１で椅子１００は維持される。
【００８３】
折り畳まれた椅子１００が開脚するときには、利用者は、前脚１０および後脚２０を他の部材を介して床５から浮かせることなく、椅子１００を開脚させることができる。ここでは、まず利用者は、背もたれ７０の後部７０ａに手を置き、背もたれ７０の後部７０ａに対して鉛直方向の下向きの力を加える。このとき、上述の折り畳み動作と逆の動作が行われ、前脚１０と後脚２０とが連結軸３１を中心して相対回転する。その結果、前脚１０の下部と後脚２０の下部とが徐々に離反する。ここで、図６に示す折り畳み位置Ｐ１のとき、後側滑り止めキャップ３７の接触面３７ａの後端が床５に接触している。そして、図１０に示すように、折り畳み位置Ｐ１のとき、前側滑り止めキャップ３３の接触面３３ａは、床５から離れており、ローラ３５が床５に接触している。折り畳み位置Ｐ１から開脚位置Ｐ２に位置が移動する間において、後側滑り止めキャップ３７が床５に接触しているため、後脚２０の下端における床５に対する位置は略変わらない。一方、折り畳み位置Ｐ１から開脚位置Ｐ２に位置が移動する間において、前側滑り止めキャップ３３が床５に接触せず、ローラ３５が床５に接触している状態である。そのため、前脚１０の下部は、ローラ３５の回転に伴い前方に移動し、ローラ３５の回転に伴い開脚動作が促進される。このような動作をすることで、図５に示すように、椅子１００は開脚し、開脚位置Ｐ２のような姿勢となる。なお、図９に示すように、開脚位置Ｐ２のときには、前側滑り止めキャップ３３の接触面３３ａが床５に接触し、かつ、ローラ３５が床５から離れているため、前脚１０は床５に対して滑り難くなる。
【００８４】
以上、本実施形態では、図６に示すように、折り畳み位置Ｐ１のときにローラ３５と後側滑り止めキャップ３７とが床５に接触している。このとき、椅子１００に対して上から力を加えることで、ローラ３５が床５に対して移動し、前脚１０の下部と後脚２０の下部とが離反するように前脚１０と後脚２０とが相互回転する。その結果、図５に示すように、椅子１００を開脚させた状態にすることができる。このように、本実施形態では、ローラ３５と後側滑り止めキャップ３７とを床５に接触させた状態で、折り畳まれた椅子１００を開脚させることができる。よって、特許文献１に開示された浴室用椅子のように、前脚を一度床から浮かせる動作を行わなくてもよいため、折り畳まれた状態の椅子１００を容易に開脚させることができる。
【００８５】
本実施形態では、ローラ３５は前脚１０の下部に設けられている。例えば、椅子１００は、壁に背を向けた状態、かつ、壁に接近させた状態で使用することがあり得る。このような場合、折り畳まれた椅子１００を壁に背を向けた状態、かつ、壁に接近した状態で配置し、椅子１００に対して上から力を加える。このとき、前脚１０の下部が後脚２０の下部に対して離反するように前方に移動することで、椅子１００を開脚させることができる。よって、壁に背を向けた状態、かつ、壁に接近した状態の折り畳まれた椅子１００を開脚させ易い。
【００８６】
本実施形態では、ローラ３５は、前脚１０の下部の前側に設けられている。開脚位置Ｐ２のときの前脚１０の下端の前側の部位は、折り畳み位置Ｐ１のとき、前脚１０の最下端に位置する。よって、前脚１０の下部の前側にローラ３５を設けることで、折り畳み位置Ｐ１のときに、ローラ３５を床５に接触させ易い。
【００８７】
本実施形態では、図１０に示すように、折り畳み位置Ｐ１のとき、前側滑り止めキャップ３３は、ローラ３５の下端よりも上方に配置されている。このことによって、折り畳み位置Ｐ１のとき、前脚１０は、ローラ３５を介して床５に接触し、前側滑り止めキャップ３３は床５に接触していない。そのため、折り畳まれた椅子１００を開脚させ易い。また、図９に示すように、開脚位置Ｐ２のとき、ローラ３５は、前側滑り止めキャップ３３の下端よりも上方に配置されている。このことによって、開脚位置Ｐ２のとき、前脚１０は、前側滑り止めキャップ３３を介して床５に接触しており、ローラ３５は床５に接触していない。よって、開脚した状態の椅子１００に利用者が座ったとき、椅子１００が床５に対して滑り難くすることができる。
【００８８】
本実施形態では、図５および図６に示すように、背もたれ７０の後部７０ａは、折り畳み位置Ｐ１および開脚位置Ｐ２のとき、側面視において回転機構３０（詳しくは、連結軸３１）よりも後方に配置されるように、連結フレーム１５を介して前脚１０に設けられている。このことによって、背もたれ７０の後部７０ａに対して上からの相対的に小さい力（例えば、２０Ｎ〜８０Ｎ程度）を加えた場合であっても、その力によって後脚２０に対して前脚１０が回転するため、前脚１０の下部が後脚２０の下部に対して離反するように前方に移動し易い。よって、相対的に小さい力で椅子１００を開脚させることができる。
【００８９】
本実施形態では、折り畳み位置Ｐ１における床５に対するローラ３５の接触面積は、第１のローラ接触面積である。開脚位置Ｐ２における床５に対するローラ３５の接触面積は、第１のローラ接触面積よりも小さい第２のローラ接触面積である。このことによって、折り畳まれた椅子１００を開脚させるとき、ローラ３５と床５との接触面積が大きいため、前脚１０を前方に移動させ易い。また、開脚位置Ｐ２のとき、ローラ３５と床５との接触面積が小さい（ここでは、０である）ため、床５に対して椅子１００を滑り難くすることができる。
【００９０】
本実施形態では、図１０に示すように、ローラ３５は、前脚１０の下部に対して回転可能に設けられている。このことによって、折り畳まれた椅子１００を開脚させる際、ローラ３５を床５に回転させながら、前脚１０の下部と後脚２０の下部とを離反させ易い。
【００９１】
本実施形態では、前側滑り止めキャップ３３の接触面３３ａ、および、後側すべり止めキャップ３７の接触面３７ａは、ゴムによって形成されている。ゴムは床５に対して滑りにくい材質である。そのため、接触面３３ａ、３７ａをゴムによって形成することで、床５に対して滑り難い前側滑り止めキャップ３３および後側すべり止めキャップ３７が滑り難くすることを作製することができる。
【００９２】
以上、本実施形態に係る椅子１００について説明した。次に、他の実施形態に係る浴室用椅子について説明する。以下の説明において、既に説明した構成と同様の構成には同じ符号を使用し、その説明は適宜省略する。
【００９３】
＜他の実施形態＞
上記実施形態では、本発明の滑り部の一例として、ローラ３５が採用され、椅子１００を開脚させるとき、ローラ３５の回転によって前脚１０を床５に対して動かし易くしていた。しかしながら、本発明の滑り部は、ローラ３５に限定されない。図１１は、他の実施形態において、開脚位置Ｐ２における前側滑り止めキャップ１３３を示す左側面図である。図１２は、折り畳み位置Ｐ１における前側滑り止めキャップ１３３を示す左側面図である。
【００９４】
例えば、図１１に示すように、前脚１０の下前脚１１には、前側滑り止めキャップ１３３が設けられており、前側滑り止めキャップ１３３には、滑り止め面１３３ａと、本発明の滑り部の一例である滑り面１３５が設けられてもよい。側面視において、滑り面１３５は、滑り止め面１３３ａの前方に配置されている。図１２に示すように、折り畳み位置Ｐ１のときに、滑り止め面１３３ａは床５に接触せずに、滑り面１３５が床５に接触している。ここでは、折り畳み位置Ｐ１のとき、滑り面１３５は水平方向に延びた面であり、滑り止め面１３３ａは滑り面１３５から後斜め上向きに延びている。
【００９５】
図１１に示すように、開脚位置Ｐ２のときに、滑り止め面１３３ａは床５に接触し、滑り面１３５は床５に接触していない。ここでは、開脚位置Ｐ２のとき、滑り止め面１３３ａは水平方向に延びており、滑り面１３５は滑り止め面１３３ａから前斜め上向きに延びている。
【００９６】
本実施形態では、滑り止め面１３３ａの床５に対する滑り抵抗と、滑り面１３５の床５に対する滑り抵抗とは異なる。例えば、床５に対する後側滑り止めキャップ３７（図５参照）の滑り抵抗を第１の抵抗とし、床５に対する滑り面１３５の滑り抵抗を第２の抵抗とし、床５に対する滑り止め面１３３ａの滑り抵抗を第３の抵抗とする。このとき、滑り面１３５の第２の抵抗は、後側滑り止めキャップ３７の第１の抵抗よりも小さく、かつ、滑り止め面１３３ａの第３の抵抗よりも小さい。また、第１の抵抗は、第３の抵抗と同じであるが、第３の抵抗より大きくてもよいし、小さくてもよい。このような滑り抵抗の関係となるように、滑り面１３５を形成する材料と、滑り止め面１３３ａを形成する材料とを異ならせてもよい。また、このような滑り抵抗の関係となるように、滑り止め面１３３ａおよび滑り面１３５に対して表面加工を施してもよい。
【００９７】
本実施形態であっても、第１実施形態と同様の効果が得られ、折り畳まれた椅子を開脚させ易い。
【００９８】
なお、上記実施形態では、開脚位置Ｐ２のときに、ローラ３５は、床５から離れていた。しかしながら、開脚位置Ｐ２のときに、ローラ３５は、前側滑り止めキャップ３３の接触面３３ａと共に床５に接触していてもよい。
【００９９】
上記実施形態において、前側滑り止めキャップ３３を省略することが可能である。この場合、ローラ３５は、前脚１０の下前脚１１の下端に回転可能に取り付けられているとよい。この場合、折り畳み位置Ｐ１および開脚位置Ｐ２の両方の位置において、ローラ３５は床５に接触している状態となる。なお、前側滑り止めキャップ３３が省略されている場合、後側滑り止めキャップ３７の接触面３７ａと床５との間の滑り抵抗が、利用者が椅子１００に座る際に椅子１００が床５に対して滑り難くなる程度の大きさであることが好ましい。
【０１００】
上記実施形態では、ローラ３５は、前脚１０の下部の前側に設けられていた。しかしながら、前脚１０に対するローラ３５の位置は特に限定されない。例えば、ローラ３５は、前脚１０の下部の後側に設けられていてもよい。また、ローラ３５は、前脚１０の下部の左側に設けられていてもよいし、前脚１０の下部の右側に設けられていてもよい。
【０１０１】
上記実施形態では、本発明の滑り部の一例であるローラ３５は、前脚１０に設けられていたが、後脚２０に設けられていてもよい。この場合、ローラ３５は、後側滑り止めキャップ３７の後側に設けられているとよい。ただし、ローラ３５は、後側滑り止めキャップ３７の前側に設けられていてもよいし、左側または右側に設けられていてもよい。この場合、折り畳み位置Ｐ１のときに、後側滑り止めキャップ３７の接触面３７ａは床５と接触せずに、ローラ３５が床５と接触する。折り畳み位置Ｐ１のときに、接触面３７ａは、ローラ３５の下端よりも上方に位置している。この場合、開脚位置Ｐ２のときに、ローラ３５は床５に接触していてもよいし、接触していなくてもよい。
【０１０２】
上記実施形態において、本発明に係る移動機構は回転機構３０であり、回転機構３０によって前脚１０と後脚２０とを相対的に回転させることで、椅子１００を開脚させたり、折り畳んだりしていた。しかしながら、本発明に係る移動機構は、後脚２０の下部に対して前脚１０の下部を相対的にスライドさせることで、前脚１０の下部と後脚２０の下部とを相対的に接近または離反させるように構成されていてもよい。
【０１０３】
上記実施形態では、前脚１０と後脚２０とを相対回転させることで、椅子１００を開脚させたり、折り畳んだりしていた。しかしながら、左脚（すなわち、左前脚１０および左後脚２０）の下部と、右脚（すなわち、右前脚１０および右後脚２０）の下部と接近させたり、離反させたりすることで、椅子１００を開脚させたり、折り畳んだりしてもよい。このとき、本発明の移動機構（上記実施形態では、回転機構３０）は、左脚の下部と、右脚の下部とを相対的に接近または離反させるように構成されている。この場合、例えば右脚が本発明の第１の脚に対応し、左脚が本発明の第２の脚に対応する。この場合の移動機構は、左脚と右脚とを相互回転可能に連結させていてもよいし、左脚の下部に対して右脚の下部を相対的にスライドさせることで、左右両脚のそれぞれ下部を相対的に接近または離反させるように構成されていてもよい。また、この場合、ローラ３５は、左右一対の前脚１０の一方（例えば、右前脚１０）、および、左右一対の後脚２０の一方（例えば、右後脚２０）に設けられていてもよい。
【０１０４】
この場合であっても、折り畳まれた椅子１００が開脚するときには、利用者は、左脚および右脚を他の部材を介して床５から浮かせることなく、椅子１００を開脚させることができる。折り畳まれた椅子１００を開脚させるとき、左脚の下部と右脚の下部とが徐々に離反する。このとき、ローラ３５が床５に接触しているため、折り畳み位置Ｐ１から開脚位置Ｐ２に位置が移動する間において、右脚の下部は、ローラ３５の回転に伴い右方に移動し、ローラ３５の回転に伴い開脚動作が促進される。このような動作をすることで、椅子１００を開脚させることができる。なお、この場合、ローラ３５は、左右一対の前脚１０の他方（例えば、左前脚１０）、および、左右一対の後脚２０の他方（例えば、左後脚２０）に設けられていてもよい。
【０１０５】
上記実施形態では、背もたれ７０の後部７０ａが本発明の押し下げ部の一例であった。しかしながら、押し下げ部は、背もたれ７０の後部７０ａに限定されず、前脚１０に直接または間接的に設けられた部位であって、前脚１０と連動して回転する部位であってもよい。例えば、本発明の押し下げ部は、操作ハンドル８０であってもよいし、連結フレーム１５であってもよいし、座部５０の後部であってもよいし、肘掛け９０の後部であってもよい。
【０１０６】
上記実施形態では、操作ハンドル８０は、背もたれ７０の後方に設けられていたが、その設置場所は特に限定されない。例えば、操作ハンドル８０は、座部５０の裏面に設けられていてもよい。
【０１０７】
上記実施形態では、ローラ３５は、回転軸３６ａ、ローラ用ブラケット３６および前側滑り止めキャップ３３を介して前脚１０の下部に取り付けられていた。ローラ３５は、前脚１０の下部、および、前側滑り止めキャップ３３から容易に取り外すことができなかった。しかしながら、ローラ３５は、前脚１０の下部に対して着脱可能、すなわち取り外し可能に設けられていてもよい。
【０１０８】
図１３、図１４は、それぞれ他の実施形態に係るキャップ２３３、ローラカバー２４０およびローラ２３５の斜視図、正面断面図である。図１３は、キャップ２３３、ローラカバー２４０およびローラ２３５を前方の左斜め下から見た図である。図１５は、キャップ２３３の斜視図である。図１６、図１７は、それぞれローラカバー２４０の側面図、分解斜視図である。図１３に示すように、ローラ２３５は、ローラカバー２４０およびキャップ２３３を介して前脚１０の下部に対して着脱可能に設けられている。
【０１０９】
ここでは、キャップ２３３は、前脚１０の下部を下方から覆うものである。図１５に示すように、キャップ２３３には、底面から上方に向かって凹んだ嵌合空間２３４が形成されている。本実施形態では、キャップ２３３の底面は開口しており、キャップ２３３の内部に嵌合空間２３４が形成されている。嵌合空間２３４は、キャップ２３３の底面の開口と繋がっている。キャップ２３３は、弾性体によって形成されている。弾性体とは、例えばゴムのことである。キャップ２３３は例えばゴム製である。
【０１１０】
図１４に示すように、ローラカバー２４０は、キャップ２３３の嵌合空間２３４に下方から着脱可能に嵌め込まれる。ローラカバー２４０は、嵌合空間２３４に合致した形状である。ローラカバー２４０には、ローラ２３５の下端がローラカバー２４０から下方に露出するように、ローラ２３５が回転可能に収容されている。本実施形態では、図１７に示すように、ローラカバー２４０は、左右一対の左カバー２４０ａと右カバー２４０ｂの２つの部材を有している。しかしながら、ローラカバー２４０は、１つの部材によって構成されていてもよいし、３つ以上の部材によって構成されていてもよい。
【０１１１】
本実施形態では、左カバー２４０ａの右端に右カバー２４０ｂの左端を取り付ける。図１４に示すように、左カバー２４０ａと右カバー２４０ｂとを組み付けたとき、内部にカバー空間２４１が形成される。また、左カバー２４０ａと右カバー２４０ｂとを組み付けたとき、底部が開口し、カバー空間２４１が上記底部の開口と繋がっている。
【０１１２】
本実施形態では、ローラカバー２４０には、回転軸２４５が設けられている。回転軸２４５には、ローラ２３５が挿入されている。ローラ２３５は、回転軸２４５を軸にして回転する。回転軸２４５は、カバー空間２４１に配置され、左右に延びている。ここでは、回転軸２４５は、右カバー２４０ｂと一体成形されており、右カバー２４０ｂから左カバー２４０ａに向かって延びている。なお、回転軸２４５は、左カバー２４０ａと一体成形されていてもよいし、左カバー２４０ａおよび右カバー２４０ｂと別体であってもよい。
【０１１３】
本実施形態では、図１５に示すように、キャップ２３３の内周面には、凹部２５１が形成されている。図１４に示すように、凹部２５１は、キャップ２３３の内周面に２つ形成されているが、凹部２５１の数は特に限定されず、１つであってもよいし、３つ以上であってもよい。ここでは、２つの凹部２５１は対向している。一方の凹部２５１は、キャップ２３３の内周面の左面の下部に形成されおり、他方の凹部２５１は、キャップ２３３の内周面の右面の下部に形成されている。
【０１１４】
ローラカバー２４０の外周面には、凹部２５１に嵌る凸部２５２が形成されている。凸部２５２は、ローラカバー２４０の外周面から突出している。凸部２５２の数は特に限定されないが、例えば凹部２５１の数と同じの２つである。一方の凸部２５２は、ローラカバー２４０の左カバー２４０ａの外周面の下部に形成されている。他方の凸部２５２は、ローラカバー２４０の右カバー２４０ｂの外周面の下部に形成されている。本実施形態では、ローラカバー２４０がキャップ２３３の嵌合空間２３４に嵌め込まれたとき、凸部２５２が凹部２５１に嵌る。
【０１１５】
なお、本実施形態では、凹部２５１がキャップ２３３の内周面に形成され、凸部２５２がローラカバー２４０の外周面に形成されているが、凹部２５１の位置と、凸部２５２の位置とが逆であってもよい。すなわち、凹部２５１がローラカバー２４０の外周面に形成され、凸部２５２がキャップ２３３の内周面に形成されていてもよい。
【０１１６】
本実施形態では、図１６に示すように、ローラカバー２４０の外周面の下部には、溝２５５が形成されている。溝２５５の数および位置は特に限定されない。ここでは、２つの溝２５５がローラカバー２４０に形成されている。具体的には、一方の溝２５５は、ローラカバー２４０の外周面の前下部に形成されており、他方の溝２５５は、ローラカバー２４０の外周面の後下部に形成されている。ここでは、図１７に示すように、ローラカバー２４０の前下部に形成された一方の溝２５５は、左カバー２４０ａから右カバー２４０ｂに亘って形成されている。図示は省略するが、ローラカバー２４０の後下部に形成された他方の溝２５５も、左カバー２４０ａから右カバー２４０ｂに亘って形成されている。ただし、２つの溝２５５は、左カバー２４０ａおよび右カバー２４０ｂの何れか一方のみに形成されていてもよい。溝２５５には、例えばマイナスドライバーなどの取り外し器具（図示せず）が差し込まれるものである。
【０１１７】
例えばローラカバー２４０をキャップ２３３から取り外す際、まず上記の取り外し器具を下方からローラカバー２４０とキャップ２３３との間に差し込む。そして、取り外し器具を上方に押し込み、取り外し器具の先端を溝２５５に差し込む。その後、取り外し器具の先端が溝２５５に差し込まれた状態で、当該先端を下方に移動させて、ローラカバー２４０を下方に押し出す。その結果、ローラカバー２４０をキャップ２３３から取り外すことができる。
【０１１８】
以上のように、本実施形態では、図１３に示すように、ローラ２３５は、浴室用椅子の前脚１０の下部に着脱可能に設けられている。浴室用椅子は、浴室で使用されるものであり、例えばキャップ２３３の内部やローラ２３５に、水垢や髪の毛などのゴミが付着し易い。しかしながら、ローラ２３５は、前脚１０から容易に取り外すことができるため、キャップ２３３やローラ２３５に付着したゴミを取り除き易く、キャップ２３３やローラ２３５を掃除し易い。
【０１１９】
本実施形態では、ローラカバー２４０を介してキャップ２３３にローラ２３５を取り付けることが可能である。また、ローラ２３５は、ローラカバー２４０に回転可能に収容されている。このようなキャップ２３３およびローラカバー２４０を設けることで、ローラ２３５を前脚１０の下部に着脱可能に設けることができると共に、前脚１０の下部に設けた状態で回転可能にすることができる。
【０１２０】
本実施形態では、図１５に示すように、キャップ２３３の内周面には凹部２５１が形成され、図１６に示すように、ローラカバー２４０の外周面には、凹部２５１に嵌る凸部２５２が形成されている。このことによって、ローラカバー２４０がキャップ２３３に嵌め込まれているとき、凹部２５１と凸部２５２とが嵌まった状態となり、ローラカバー２４０の上下方向の移動がより規制される。よって、ローラカバー２４０がキャップ２３３から落下し難い。
【０１２１】
本実施形態では、ローラカバー２４０の外周面の下部には、溝２５５が形成されている。このことによって、マイナスドライバーなどの取り外し器具の先端を溝２５５に差し込むことで、ローラカバー２４０およびローラ２３５をキャップ２３３から取り外すことができる。よって、取り外し器具を使用して、ローラカバー２４０およびローラ２３５をキャップ２３３から取り外し易い。
【符号の説明】
【０１２２】
１０  前脚
２０  後脚
３０  回転機構
３３  前側滑り止めキャップ（他の滑り止め部）
３５  ローラ（滑り部）
３７  後側滑り止めキャップ（滑り止め部）
１００  椅子（浴室用椅子）
Ｐ１  折り畳み位置
Ｐ２  開脚位置
【図１】
2020006141.tif 000003
【図２】
2020006141.tif 000004
【図３】
2020006141.tif 000005
【図４】
2020006141.tif 000006
【図５】
2020006141.tif 000007
【図６】
2020006141.tif 000008
【図７】
2020006141.tif 000009
【図８】
2020006141.tif 000010
【図９】
2020006141.tif 000011
【図１０】
2020006141.tif 000012
【図１１】
2020006141.tif 000013
【図１２】
2020006141.tif 000014
【図１３】
2020006141.tif 000015
【図１４】
2020006141.tif 000016
【図１５】
2020006141.tif 000017
【図１６】
2020006141.tif 000018
【図１７】
2020006141.tif 000019